(57)【要約】 【課題】  単純構造で保守が容易な脚部/臀部筋肉刺激器具を提供することである。【解決手段】  運動器具の筋肉刺激装置は、踏板（２）を有している。踏板（２）は踏板を中央で横断する中央横断軸（６）で上下回動する。中央横断軸（６）は踏板を第１翼部（Ａ）と第２翼部（Ｂ）に分割している。第１翼部（Ａ）に作用する駆動手段が提供されている。
2008503309.tif 000002
【特許請求の範囲】
【請求項１】
運動器具の筋肉刺激装置であって、踏板（２）を有しており、該踏板（２）は横断方向に延びる中央横断軸（６）を中心にして上下回動し、該中央横断軸（６）は該踏板（２）を第１翼部（Ａ）と第２翼部（Ｂ）とに分離しており、少なくとも一方の翼部に作用する駆動手段が提供されていることを特徴とする装置。
【請求項２】
駆動手段は第１翼部（Ａ）のみに作用し、従属輪（８）により上下に移動されるＣ形状部材（９）を含み、その対称軸は垂直面上を周運動し、該Ｃ形状部材（９）には上方タブ（２０）と下方タブ（２１）が提供されていることを特徴とする請求項１記載の装置。
【請求項３】
３．従属輪（８）は自身の長軸周囲で自転する駆動シャフト（４）の１端に偏心的に取り付けられており、Ｃ形状部材（９）の開放部は踏板（２）の中央に面し、該踏板（２）の第１翼部（Ａ）の下側に提供されており、前記駆動シャフト（４）は前記踏板（２）の中央横断軸（６）に対して垂直であることを特徴とする請求項２記載の装置。
【請求項４】
駆動シャフト（４）はベアリング（３）によって踏板（２）の基礎部（１）に取り付けられていることを特徴とする請求項３記載の装置。
【請求項５】
従属輪（８）はＣ形状部材（９）の上方タブ（２０）と下方タブ（２１）によって第１翼部（Ａ）を上下に運動させることを特徴とする請求項２から４のいずれかに記載の装置。
【請求項６】
従属輪（８）の中心の運動が上方運動成分を有しているとき、該従属輪（８）はＣ形状部材（９）の上方タブ（２０）の下面に載置され、踏板（２）の第１翼部（Ａ）に所定量の上方回動を提供し、同時的に第２翼部（Ｂ）に同量の下方回動を提供することを特徴とする請求項２から５のいずれかに記載の装置。
【請求項７】
従属輪（８）の中心の運動が下方運動成分を有しているとき、該従属輪（８）はＣ形状部材（９）の下方タブ（２１）の上面に載置され、踏板（２）の第１翼部（Ａ）に所定量の下方回動を提供し、同時的に第２翼部（Ｂ）に同量の上方回動を提供することを特徴とする請求項２から５のいずれかに記載の装置。
【請求項８】
駆動手段は踏板（２）の第１翼部（Ａ）のみに作用し、連結ロッド/クランク式機構を含んでおり、連結ロッド（２３）の１端は第１翼部（Ａ）に回動式に連結されていることを特徴とする請求項１記載の装置。
【請求項９】
連結ロッド（２３）は第１翼部（Ａ）を所定量だけ上方に押し上げ、第２翼部（Ｂ）を同量だけ降下させ、あるいは第１翼部（Ａ）を所定量だけ下方に引き下げ、第２翼部（Ｂ）を同量だけ上昇させることを特徴とする請求項８記載の装置。
【請求項１０】
第２翼部（Ｂ）はその自由端近辺に位置するスプリングまたはショックアブソーバ（２４）を介して基礎部（１）に取り付けられていることを特徴とする請求項２から９のいずれかに記載の装置。
【請求項１１】
スプリングまたはショックアブソーバ（２４）は踏板（２）の運動を安定させるように作用することを特徴とする請求項１０記載の装置。
【請求項１２】
踏板（２）の第１翼部（Ａ）に作用する駆動手段は垂直面上を周運動する軸を有した従属輪（８）を含んでおり、該従属輪（８）の中心の運動は上方運動成分を有しているとき、前記第１翼部（Ａ）を、第２翼部（Ｂ）を上方にのみ安定的に押し上げるスプリングまたはショックアブソーバ（２４）の弾力に抗して上方にのみ押すことがでることを特徴とする請求項１記載の装置。
【請求項１３】
踏板（２）の少なくとも片翼部に作用する駆動手段は２体の従属輪（８）と（２９）を有して、踏板（２）の第１翼部（Ａ）と第２翼部（Ｂ）にそれぞれ作用し、それぞれの従属輪は駆動シャフト（４）の対応する端部に偏心的に取り付けられており、他方の従属輪の回転軸とは対極的に前記駆動シャフト（４）に平行な回転軸を有していることを特徴とする請求項１記載の装置。
【請求項１４】
第１翼部（Ａ）に作用する従属輪（８）は該第１翼部（Ａ）を上方に移動させ、該移動により第２翼部（Ｂ）は下方に移動し、該第２翼部（Ｂ）に作用する従属輪（２９）は該第２翼部（Ｂ）を上方に移動させ、該移動により前記第１翼部（Ａ）は下方に移動し、従属輪（８、９）のそれぞれの軸の回転運動は他方の従属輪とは反対方向の垂直移動成分を有していることを特徴とする請求項１３記載の装置。
【請求項１５】
明細書中及び添付図面で実質的に開示されている運動器具の筋肉刺激装置。
【発明の詳細な説明】
【技術分野】
【０００１】
本発明は運動器具の筋肉刺激装置に関し、特には踏板の上下運動による脚部と臀部の筋肉刺激装置に関する。
【背景技術】
【０００２】
踏板はその中央横断軸で回動する歩行運動用翼板で成り、中央横断軸を境に２体の翼部を提供する踏板本体を有している。
【０００３】
本発明の１特徴によれば、上下運動は踏板の少なくとも１翼部に作用する駆動手段で提供される。
【０００４】
現在、水平基準軸を中心に上下運動する歩行運動用翼板を有し、その水平横断軸左右で延び出る２体の翼部を備えた運動器具用筋肉刺激装置が存在する。それぞれの翼部は、例えば、両翼部に共用電動モータにより作用する連結ロッド/クランクタイプの昇降機構に連結されている。
【発明の開示】
【発明が解決しようとする課題】
【０００５】
そのような従来装置の第１の弱点は、両翼部の相対的な反対方向の運動を完全に同調させ、利用時に踏板が湾曲したり、偏重負荷により器具に損傷が及ぶのを回避させなければならない点である。その回避には昇降機構が精密である必要があるが、それには高コストを要する。
【０００６】
そのような従来装置の第２の弱点は、力の伝達が鋸歯状ベルト手段のペアで提供され、翼部昇降機構の動きのタイミング差を引き起こすことである。
【０００７】
第３の弱点は、そのような昇降機構がバランス重量の設置を必要とするような連結ロッド/クランクシステムの駆動シャフトを有することである。
【０００８】
さらなる弱点は、磨耗による振動発生を防止するために精密で連続的な保守を要する多数の機械部品が介在することである。
【０００９】
従って、本発明の主たる目的は、前述の弱点に対処することができ、単純構造で保守が容易な脚部/臀部筋肉刺激器具を提供することである。
【課題を解決するための手段】
【００１０】
この目的は本発明の歩行運動用翼板形態の踏板本体を含んだ踏板を利用することによって達成される。少なくとも踏板の片方の翼部を上下運動させる駆動手段によって、踏板は中央横断軸周囲で上下運動する。
【００１１】
駆動手段によって片方の翼部が上方移動すると、他方の翼部は下方移動することは理解されよう。
【発明を実施するための最良の形態】
【００１２】
本発明を添付図面で図示するいくつかの好適実施例を利用し、以下においてさらに詳細に解説する。
【００１３】
図１は本発明の第１実施例の平面図である。図２は図１の実施例の側面図である。図３は第２実施例の側面図である。図４は図２の変形例の側面図である。図５は図３の変形例の側面図である。図６は本発明の第３実施例の側面図である。図７は本発明の第４実施例の側面図である。
【００１４】
図１と図２で図示する第１実施例の装置は、横断方向に提供されている中央軸６の周囲で回動する踏板２を含んでいる。中央軸６は踏板を翼部Ａと翼部Ｂに分離する。本例では翼部Ａのみが、駆動シャフト４の端部に偏心的に取り付けられた従属輪８を含んだ駆動手段で上下運動される。駆動シャフト４は自身の長軸周囲で自転する。
【００１５】
その長軸は踏板２の中央軸６に対して垂直である。踏板２は従属輪８の中心を回動によって周回転させる。従属輪８は踏板２の第１翼部Ａの下側に取り付けられたＣ形状部材９内に挿入されている。Ｃ形状部材９の開口側は踏板２の中央側に向けられている。そのようなシャフト４は従来型ベアリング３で踏板２の基礎部１により保持されている。
【００１６】
従属輪８はＣ形状部材９の上方タブ２０と下方タブ２１の手段で第１翼部Ａを上下運動させる。
【００１７】
従属輪８の中心が上方移動するとき、従属輪８はＣ形状部材９の上方タブ２０の下面に接触し、第１翼部Ａを所定量だけ上方移動させる。同時に、第２翼部Ｂは同量だけ下方移動する。
【００１８】
その逆に、従属輪８の中心が下方移動するとき、従属輪８はＣ形状部材９の下方タブ２１の上面に接触し、第１翼部Ａを所定量だけ下方移動させる。同時に、第２翼部Ｂは同量だけ上方移動する。
【００１９】
よって踏板２は翼部Ａと翼部Ｂの変形を伴わずに自身の回動軸周囲を上下運動する。
【００２０】
図３で図示する第２実施例は従属輪８とＣ型形状部材９に代わる連結ロッド/クランクタイプの機構を提供する。連結ロッド２３は周回転するその端部によって踏板２の第１翼部Ａを上下運動させる。
【００２１】
連結ロッド２３が接続している第１翼部Ａを上方に押すと、第１翼部Ａは所定量だけ上昇し、踏板２の第２翼部は同量を下降する。連結ロッド２３が接続している第１翼部Ａを下方に押すと、第１翼部Ａは所定量だけ下降し、踏板２の第２翼部は同量を上昇する。
【００２２】
両実施例において、第２翼部Ｂが、好適にはその自由端付近に位置するスプリングまたはショックアブソーバ２４を介して基礎部１に取り付けられていることが望ましい（図４と図５）。
【００２３】
この場合、従属輪８またはクランク２３が第１翼部Ａを上方または下方に移動させるとき、スプリングまたはショックアブソーバ２４によって踏板２の動きを安定させる。
【００２４】
単純化された第３実施例（図６）では、従属輪８は第１翼部Ａのみを上方に押す。すなわち基礎部１から離れるように反対側の第２翼部Ｂを上方に押しているスプリングまたはショックアブソーバ２４の弾力に抗して第１翼部Ａを移動させる。
【００２５】
第４実施例（図７）で示す駆動シャフト４には従属輪８と２９が両側に提供されている。それぞれの従属輪は駆動シャフト４に平行な回転軸を有しており、他方の従属輪に対して対極位置で偏心的に取り付けられている。よって、各従属輪は踏板２のそれぞれの翼部を上方にのみ移動させる。
【００２６】
従属輪８が第１翼部Ａを上方移動させるとき、第２翼部Ｂは下方移動し、従属輪２９が第２翼部Ｂを上方移動させるとき、第１翼部Ａは下方移動する。
【００２７】
勿論、前述のように、一方の従属輪の上下移動は常に他方の従属輪の上下移動と反対方向になる。
【００２８】
これら実施例において、駆動シャフト４は、好適にはベルト型伝達部１２とベルト車１１及び１３により、その側部に位置するモータ１０によって運転される。
【００２９】
その中央回動軸６は従来型継手７によって踏板２の下側に設置され、従来型の別ベアリング５を介して基礎部１に回転式に取り付けられている。
【００３０】
以上、本発明のいくつかの好適実施例を図面を利用して解説した。本発明の範囲内でのそれらの実施例の技術的均等な改変は可能である。
【図面の簡単な説明】
【００３１】
【図１】は本発明の第１実施例の平面図である。
【図２】は図１の実施例の側面図である。
【図３】は第２実施例の側面図である。
【図４】は図２の変形例の側面図である。
【図５】は図３の変形例の側面図である。
【図６】は本発明の第３実施例の側面図である。
【図７】は本発明の第４実施例の側面図である。
【符号の説明】
【００３２】
２  踏板
３  ベアリング
４  駆動シャフト
６  中央横断軸
８  従動輪
【図１】
2008503309.tif 000003
【図２】
2008503309.tif 000004
【図３】
2008503309.tif 000005
【図４】
2008503309.tif 000006
【図５】
2008503309.tif 000007
【図６】
2008503309.tif 000008
【図７】
2008503309.tif 000009
【国際調査報告】
2008503309.tif 000010
2008503309.tif 000011
2008503309.tif 000012
2008503309.tif 000013
2008503309.tif 000014